(57)【要約】  【課題】  ストッパ部できしみ音が発生しない耐久性のある折り畳み式移動通信装置を提供することである。  【解決手段】  第１の筐体１１と、第２の筐体１２と、第１及び第２の筐体１１、１２を繋ぐヒンジ部１３と、第１の筐体１１に設けられた第１のストッパ部１１ａと、第２の筐体１２に設けられた第２のストッパ部１２ａとを備え、第１及び第２のストッパ部１１ａ、１２ａが接触して両筐体１１、１２を開状態に支持する折り畳み式携帯電話機（折り畳み式移動通信装置）１０であり、少なくとも第１又は第２のストッパ部１１ａ、１２ａに、５ｗｔ％以上のスリップ剤を含有したインキを印刷する構成とする。【選択図】      図１
2005244628.tif 000002
【特許請求の範囲】
【請求項１】
第１の筐体と、第２の筐体と、第１及び第２の筐体を繋ぐヒンジ部と、第１の筐体に設けられた第１のストッパ部と、第２の筐体に設けられた第２のストッパ部とを備え、第１及び第２のストッパ部が接触して両筐体を開状態に支持する折り畳み式移動通信装置において、
少なくとも第１又は第２のストッパ部に、５ｗｔ％以上のスリップ剤を含有したインキを印刷することを特徴とする折り畳み式移動通信装置。
【請求項２】
第１の筐体と、第２の筐体と、第１及び第２の筐体を繋ぐヒンジ部と、第１の筐体に設けられた第１のストッパ部と、第２の筐体に設けられた第２のストッパ部とを備え、第１及び第２のストッパ部が接触して両筐体を開状態に支持する折り畳み式移動通信装置において、
少なくとも第１又は第２のストッパ部に、５ｗｔ％以上のスリップ剤を含有した塗料を塗装することを形成することを特徴とする折り畳み式移動通信装置。
【請求項３】
第１の筐体と、第２の筐体と、第１及び第２の筐体を繋ぐヒンジ部と、第１の筐体に設けられた第１のストッパ部と、第２の筐体に設けられた第２のストッパ部とを備え、第１及び第２のストッパ部が接触して両筐体を開状態に支持する折り畳み式移動通信装置において、
少なくとも第１又は第２のストッパ部に、５ｗｔ％以上のスリップ剤を含有した塗料を熱転写することを特徴とする折り畳み式移動通信装置。
【請求項４】
第１の筐体と、第２の筐体と、第１及び第２の筐体を繋ぐヒンジ部と、第１の筐体に設けられた第１のストッパ部と、第２の筐体に設けられた第２のストッパ部とを備え、第１及び第２のストッパ部が接触して両筐体を開状態に支持する折り畳み式移動通信装置において、
少なくとも第１又は第２のストッパ部は、５ｗｔ％以上のスリップ剤を含有した樹脂であることを特徴とする折り畳み式移動通信装置。
【発明の詳細な説明】
【技術分野】
【０００１】
本発明は、ヒンジ部を軸に２つに折り畳むことができる折り畳み式移動通信装置に関するものである。
【背景技術】
【０００２】
近年普及している移動通信装置として携帯電話機が挙げられる。携帯電話機は、液晶画面の大型化に伴い、筐体を２つ折りにして持ち運ぶ折り畳み式のものが増えている。そして、折り畳むためにヒンジ部が設けられている。このヒンジ部は動作頻度が高いので耐久性を考慮した設計、材料が必要とされる。
【０００３】
ヒンジ部の構造の一例として特許文献１には、蓋の主体部をスチレン系樹脂で形成し、力学的ストレスがかかるヒンジ部の表面にポリエチレンのコーティング層を設けたランドリー機器の蓋が開示されている。蓋の主体部は、外観性がよいとされるスチレン系樹脂で形成することで外観性を損なわないようにでき、そして、ヒンジ部の表面に、洗剤などの薬剤に浸されにくいポリエチレンのコーティング層を設けることで、薬剤に対してバリアとなり、ヒンジ部が劣化することを極力防止している。
【特許文献１】特開２００１−３１４６９４号公報
【発明の開示】
【発明が解決しようとする課題】
【０００４】
上記特許文献１は洗濯機等のランドリー機器に関するものであるため、ヒンジ部の材料として薬剤に対するバリア性が必要とされている。一方、携帯電話機等の折り畳み式の移動通信装置では、開閉の頻度が高いので耐久性が必要となる。ここで、開いたときに上下の両筐体を適切な角度で支持するために両筐体が接触する部分（ストッパ部）が設けられている。通話中に耳を筐体に押し当てることにより、このストッパ部にストレスがかかり、きしみ音が発生しやすい。通話中に発生するきしみ音は耳障りなものである。
【０００５】
そこで、従来はストッパ部の形状を工夫して擦れにくくしたり、ストッパ部に潤滑剤を塗布したり、筐体全体の塗装にスリップ剤を混合したりしていた。
【０００６】
しかしながら、ストッパ部の形状を工夫して擦れる部分を減らすことはできてもなくすことはできないため、きしみ音がなくなることはなかった。また、潤滑剤は一時的に効果はあるものの恒久的な対策ではなかった。また、ストッパ部を含み筐体全体の塗料にスリップ剤を混合しても、スリップ剤が白色なので所望の色を出すため、及び塗料の密着度の低下のためスリップ剤の含有量に制限があり、きしみ音の防止効果は小さかった。
【０００７】
そこで本発明は、ストッパ部できしみ音が発生しない耐久性のある折り畳み式移動通信装置を提供することを目的とする。
【課題を解決するための手段】
【０００８】
上記目的を達成するために本発明は、第１の筐体と、第２の筐体と、第１及び第２の筐体を繋ぐヒンジ部と、第１の筐体に設けられた第１のストッパ部と、第２の筐体に設けられた第２のストッパ部とを備え、第１及び第２のストッパ部が接触して両筐体を開状態に支持する折り畳み式移動通信装置において、少なくとも第１又は第２のストッパ部に、５ｗｔ％以上のスリップ剤を含有したインキを印刷することを特徴とするものである。
【０００９】
また本発明は、第１の筐体と、第２の筐体と、第１及び第２の筐体を繋ぐヒンジ部と、第１の筐体に設けられた第１のストッパ部と、第２の筐体に設けられた第２のストッパ部とを備え、第１及び第２のストッパ部が接触して両筐体を開状態に支持する折り畳み式移動通信装置において、少なくとも第１又は第２のストッパ部に、５ｗｔ％以上のスリップ剤を含有した塗料を塗装することを形成することを特徴とするものである。
【００１０】
また本発明は、第１の筐体と、第２の筐体と、第１及び第２の筐体を繋ぐヒンジ部と、第１の筐体に設けられた第１のストッパ部と、第２の筐体に設けられた第２のストッパ部とを備え、第１及び第２のストッパ部が接触して両筐体を開状態に支持する折り畳み式移動通信装置において、少なくとも第１又は第２のストッパ部に、５ｗｔ％以上のスリップ剤を含有した塗料を熱転写することを特徴とするものである。
【００１１】
また本発明は、第１の筐体と、第２の筐体と、第１及び第２の筐体を繋ぐヒンジ部と、第１の筐体に設けられた第１のストッパ部と、第２の筐体に設けられた第２のストッパ部とを備え、第１及び第２のストッパ部が接触して両筐体を開状態に支持する折り畳み式移動通信装置において、少なくとも第１又は第２のストッパ部は、５ｗｔ％以上のスリップ剤を含有した樹脂であることを特徴とするものである。
【発明の効果】
【００１２】
本発明によれば、ストッパ部にスリップ剤を塗布したり、ストッパ部をスリップ剤を含有した樹脂で形成することにより、ストッパ部が筐体の他の部分よりも摩擦係数が下がるので、きしみ音を防止することができる。また、印刷等を用いることにより、十分な耐久性ももたせることができる。
【発明を実施するための最良の形態】
【００１３】
以下、折り畳み式の移動通信装置として折り畳み式の携帯電話機を例に説明する。図１は携帯電話機の斜視図、図２は開状態の携帯電話機の側面透過図である。
【００１４】
携帯電話機１０は、第１の筐体１１と、第２の筐体１２と、第１及び第２の筐体を繋ぐヒンジ部１３と、アンテナ１４とから構成される。この携帯電話機１０は、ヒンジ部１３を軸として第１の筐体１１と第２の筐体１２が開閉可能となっている、所謂折り畳み式の携帯電話機である。
【００１５】
第１の筐体１１は、樹脂からなり、折り畳んだ内側に液晶表示部（不図示）と受話スピーカ（不図示）を有し、外側に小型の液晶表示部１５とカメラのレンズ１６を有する。また、第１の筐体１１のヒンジ部１３付近には、表面が平らな第１のストッパ部１１ａが形成されている。
【００１６】
第２の筐体１２は、第１の筐体１１と同じ樹脂からなり、折り畳んだ内側にキー操作部（不図示）と送話マイク（不図示）を有し、外側にアンテナ１４と簡易キー１７を有する。また、第２の筐体１２のヒンジ部１３付近には、表面が平らな第２のストッパ部１２ａが形成されている。
【００１７】
このような構成の携帯電話機１０を図２のように開くと、第１及び第２のストッパ部１１ａ、１２ａが接触して両筐体１１、１２を開状態に支持する。第１及び第２のストッパ部１１ａ、１２ａの形成位置や形成角度によって両筐体１１、１２の開角度が決定される。なお、第１及び第２のストッパ部１１ａ、１２ａの接触面積が大きい程、安定して開状態に支持できる。接触面積が小さいと通話中に耳を第１の筐体１１に押し当てることにより、ストッパ部１１ａ、１２ａにストレスがかかり、耳障りなきしみ音が発生しやすくなる。
【００１８】
そこで、きしみ音を防止するため、第１のストッパ部１１ａと第２のストッパ部１２ａとの接触面にはスリップ剤を含有したインキが印刷されている。スリップ剤としては、一般的なフッ素系やシリコン系の化合物を用いることができる。印刷は転写印刷やシルクスクリーン印刷を採用することができ、例えば、３０ｗｔ％のスリップ剤を含んだメジウムインキを用いることができる。メジウムインキを用いることで透明感があり外観的に違和感なく使用することができる。
【００１９】
ここで、インキに高濃度のスリップ剤を混合するとスリップ剤の色で多少白濁するが、第１及び第２のストッパ部１１ａ、１２ａの表面にだけ部分印刷することにより、色彩の制限をあまり受けることがなく、インキに高濃度のスリップ剤を含有させることが可能となる。５ｗｔ％以上のスリップ剤を含有させることできしみ音を防止することができる。一方、スリップ剤の含有量が大きくなるに従ってインキの密着度が小さくなり、剥がれやすくなる。剥離を防止する為には、インキには５〜５０ｗｔ％以下のスリップ剤を含有させることが好ましい。
【００２０】
なお、耐久試験においてスリップ剤の配合量や膜厚を最適化することにより、１０万回の開閉試験でもきしみ音が発生しなかった。使用するスリップ剤の配合量や膜厚はストッパ部１１ａ、１２ａの形状や接触面積によって変化するので、製品の仕様に合わせて決定すればよい。
【００２１】
また、少なくとも第１又は第２のストッパ部１１ａ、１２ａの何れかに、スリップ剤を含有したインキを印刷することで上記の効果は得られる。
【００２２】
このように、ストッパ部１１ａ、１２ａにスリップ剤を印刷することにより、筐体の他の部分よりも摩擦係数が下がるので、きしみ音を防止することができる。また、印刷工程で行うため、高濃度のスリップ剤を必要な部分のみに簡単に安価で塗布することができる。
【００２３】
上記ではスリップ剤の塗布に印刷を用いたが、ストッパ部１１ａ、１２ａの少なくとも表面に高濃度のスリップ剤が存在すればその形成手段に特に限定はなく、他に塗装、熱転写（ホットスタンプ）、スリップ剤を含有した樹脂の取り付け等の手段を用いることができる。
【００２４】
塗装は、スリップ剤を含有した塗料を吹き付けることで行われる。これにより、スリップ剤を必要な部分のみに簡単に安価で塗布することができる。
【００２５】
また熱転写は、スリップ剤を含有した塗料を加熱したスタンプで転写することにより行われる。これにより、高濃度のスリップ剤を必要な部分のみに簡単に安価で塗布することができる。
【００２６】
更に、スリップ剤を含有した樹脂の取り付けは、例えば、スリップ剤を練り込んだ板状の樹脂をストッパ部１１ａ、１２ａとして筐体１１、１２に貼着することにより行うことができる。これにより、スリップ剤を膜で形成する場合よりも耐久性をもたせることができる。
【産業上の利用可能性】
【００２７】
本発明の折り畳み式移動通信装置は、携帯電話をはじめ、ＰＨＳ、固定電話、自動車電話等の各種電話機や、トランシーバー等の通信装置に利用することができる。
【図面の簡単な説明】
【００２８】
【図１】本発明の携帯電話機の斜視図である。
【図２】本発明の開状態の携帯電話機の側面図である。
【符号の説明】
【００２９】
１０    携帯電話機（移動通信装置）
１１    第１の筐体
１１ａ  第１のストッパ部
１２    第２の筐体
１２ａ  第２のストッパ部
１３    ヒンジ部
【図１】
2005244628.tif 000003
【図２】
2005244628.tif 000004